【手続補正書】
【提出日】令和3年3月24日(2021.3.24)
【手続補正１】
【補正対象書類名】特許請求の範囲
【補正対象項目名】全文
【補正方法】変更
【補正の内容】
【特許請求の範囲】
【請求項１】
第１熱媒体を流通させて蒸発側対象物（８０）と熱交換させる蒸発側対象物熱交換部（８０ａ）と、
冷媒を圧縮して吐出する圧縮機（１１）から吐出された高圧冷媒を凝縮させる凝縮部（１２１ａ）、および前記高圧冷媒を減圧させる減圧部（１３、１３ａ）にて減圧された低圧冷媒を蒸発させる蒸発部（１４１ａ）を有する冷凍サイクル装置（１０）と、
前記凝縮部と熱的に接続されて第２熱媒体と前記高圧冷媒とを熱交換させる凝縮側熱交換部（１２１ｂ）と、
前記蒸発側対象物熱交換部から流出した前記第１熱媒体と外気とを熱交換させる第１熱交換部（４１）と、
前記凝縮側熱交換部から流出した前記第２熱媒体と外気とを熱交換させる第２熱交換部（５１）と、を備え、
前記第１熱交換部は、前記蒸発側対象物熱交換部から流出した前記第１熱媒体と前記第２熱交換部にて熱交換する前の外気とを熱交換させ、
前記第２熱交換部は、前記凝縮側熱交換部から流出した前記第２熱媒体と前記第１熱交換部を通過後の外気の少なくとも一部とを熱交換させる温度調整装置。
【請求項２】
前記蒸発部と熱的に接続されて前記第１熱媒体を前記低圧冷媒と熱交換させる蒸発側熱交換部（１４１ｂ）を備える請求項１に記載の温度調整装置。
【請求項３】
前記第１熱媒体を循環させる第１熱媒体回路（４０）と、
前記第２熱媒体を循環させる第２熱媒体回路（５０）と、を備え、
前記第１熱媒体回路および前記第２熱媒体回路は、前記第１熱媒体と前記第２熱媒体とを混合させることのない互いに独立した熱媒体回路を形成している請求項２に記載の温度調整装置。
【請求項４】
前記第１熱媒体回路（４０）の回路構成を切り替える切替部（４５ａ…４５ｃ）と、を備え、
前記切替部は、前記第１熱交換部から流出した前記第１熱媒体を前記蒸発側対象物熱交換部へ流入させる回路構成と、前記第１熱交換部から流出した前記第１熱媒体を前記蒸発側熱交換部へ流入させる回路構成とを切り替える請求項３に記載の温度調整装置。
【請求項５】
前記高圧冷媒を熱源として加熱対象流体を加熱する加熱部（５３、１２２）を備え、
前記冷凍サイクル装置では、前記蒸発部にて前記冷媒が前記第１熱媒体から吸熱した熱を、前記凝縮部にて前記第２熱媒体に放熱させる請求項１ないし４のいずれか１つに記載の温度調整装置。
【請求項６】
前記高圧冷媒を熱源として加熱対象流体を加熱する加熱部（５３）を備え、
前記冷凍サイクル装置では、前記蒸発部にて前記冷媒が前記第２熱媒体から吸熱した熱を、前記凝縮部にて前記第２熱媒体に放熱させる請求項１に記載の温度調整装置。
【請求項７】
前記第１熱媒体を流通させて外気側対象物（８１）と熱交換させる外気側対象物熱交換部（８１ａ）を備える請求項１ないし６のいずれか１つに記載の温度調整装置。
【請求項８】
前記第２熱媒体を流通させて外気側対象物（８２）と熱交換させる外気側対象物熱交換部（８１ａ）を備える請求項１ないし６のいずれか１つに記載の温度調整装置。
【請求項９】
第１熱媒体を流通させて蒸発側対象物（８０）と熱交換させる蒸発側対象物熱交換部（８０ａ）と、
第２熱媒体を流通させて外気側対象物（８１）と熱交換させる外気側対象物熱交換部（８１ａ）と、
冷媒を圧縮して吐出する圧縮機（１１）から吐出された高圧冷媒を凝縮させる凝縮部（１２１ａ）、および前記高圧冷媒を減圧させる減圧部（１３）にて減圧された低圧冷媒を蒸発させる蒸発部（１４１ａ）を有する冷凍サイクル装置（１０）と、
前記凝縮部と熱的に接続されて前記第１熱媒体を前記高圧冷媒と熱交換させる凝縮側熱交換部（１２１ｂ）と、
前記蒸発部と熱的に接続されて前記第１熱媒体を前記低圧冷媒と熱交換させる蒸発側熱交換部（１４１ｂ）と、
前記第１熱媒体と外気とを熱交換させる第１熱交換部（４１）と、
前記外気側対象物熱交換部から流出した前記第２熱媒体と外気とを熱交換させる第２熱交換部（５１）と、
前記第１熱媒体を循環させる第１熱媒体回路（４０）の回路構成を切り替える切替部（４４ａ、４５ａ…４５ｅ）と、を備え、
前記切替部は、前記蒸発側熱交換部と前記蒸発側対象物熱交換部との間で前記第１熱媒体を循環させる回路構成、前記蒸発側熱交換部と前記第１熱交換部との間で前記第１熱媒体を循環させる回路構成、および前記凝縮側熱交換部と前記第１熱交換部との間で前記第１熱媒体を循環させる回路構成を切り替え、
前記第１熱交換部は、前記第１熱媒体と前記第２熱交換部にて熱交換する前の外気とを熱交換させ、
前記第２熱交換部は、前記外気側対象物熱交換部から流出した前記第２熱媒体と前記第１熱交換部を通過後の外気の少なくとも一部とを熱交換させる温度調整装置。
【請求項１０】
前記切替部は、前記蒸発側熱交換部から流出した前記第１熱媒体を、前記蒸発側対象物熱交換部を介して前記第１熱交換部へ流入させる回路構成と、前記蒸発側熱交換部から流出した前記第１熱媒体を、前記蒸発側対象物熱交換部を迂回させて前記第１熱交換部へ流入させる回路構成とを切り替える請求項９に記載の温度調整装置。
【請求項１１】
前記切替部は、前記蒸発側対象物熱交換部から流出した前記第１熱媒体を、前記第１熱交換部を介して前記蒸発側熱交換部へ流入させる回路構成と、前記蒸発側対象物熱交換部から流出した前記第１熱媒体を、前記第１熱交換部を迂回させて前記蒸発側熱交換部へ流入させる回路構成とを切り替える請求項９または１０に記載の温度調整装置。
【請求項１２】
前記冷凍サイクル装置は、前記高圧冷媒を減圧させる流体側減圧部（１３ｂ）にて減圧された低圧冷媒を冷却対象流体と熱交換させて蒸発させる流体側蒸発部（１４）を有し、
前記蒸発部および前記流体側蒸発部は、前記凝縮部から流出した前記高圧冷媒の流れに対して、互いに並列的に接続されている請求項１ないし１１のいずれか１つに記載の温度調整装置。
【請求項１３】
冷媒を圧縮して吐出する圧縮機（１１）から吐出された高圧冷媒を凝縮させる凝縮部（１２１ａ）、前記高圧冷媒を減圧させる減圧部（１３ａ）にて減圧された低圧冷媒を蒸発させる蒸発部（１４１ａ）、および前記高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
前記蒸発部と熱的に接続されて第１熱媒体と前記低圧冷媒とを熱交換させる蒸発側熱交換部（１４１ｂ）と、
前記第１熱媒体を流通させて外気側対象物（８１）と熱交換させる外気側対象物熱交換部（８１ａ）と、
前記第１熱媒体と外気とを熱交換させる第１熱交換部（４１）と、
前記凝縮部と熱的に接続されて第２熱媒体と前記高圧冷媒とを熱交換させる凝縮側熱交換部（１２１ｂ）と、
前記第２熱媒体と加熱対象流体とを熱交換させる加熱部（５３）と、
前記第２熱媒体と外気とを熱交換させる第２熱交換部（５１）と、
前記第１熱媒体を循環させる第１熱媒体回路（４０）の回路構成を切り替える第１切替部（４４ｂ、４５ａ…４５ｄ）と、
前記第２熱媒体を循環させる第２熱媒体回路（５０）の回路構成を切り替える第２切替部（５４、５５）と、を備え、
前記第１熱交換部および前記第２熱交換部は、一方を通過後の外気が他方へ流入するように配置されており、
前記流体側蒸発部にて前記冷却対象流体を冷却する冷却運転モードでは、
前記第１切替部は、前記第１熱交換部から流出した前記第１熱媒体を前記外気側対象物熱交換部へ流入させる回路構成に切り替え、
前記第２切替部は、前記凝縮側熱交換部から流出した前記第２熱媒体を前記第２熱交換部へ流入させる回路構成に切り替え、
前記加熱部にて前記加熱対象流体を加熱する加熱運転モードでは、
前記第１切替部は、前記蒸発側熱交換部から流出した前記第１熱媒体を前記第１熱交換部および前記外気側対象物熱交換部へ流入させる回路構成に切り替え、
前記第２切替部は、前記凝縮側熱交換部から流出した前記第２熱媒体を前記加熱部へ流入させる回路構成に切り替え、
前記冷却運転モード時に前記第１熱交換部を流通する前記第１熱媒体の流れ方向と前記第２熱交換部を流通する前記第２熱媒体の流れ方向は、同一となっており、
前記冷却運転モード時に前記第１熱交換部を流通する前記第１熱媒体の流れ方向と前記加熱運転モード時に前記第１熱交換部を流通する前記第１熱媒体の流れ方向は、異なっており、
前記冷却運転モード時に前記外気側対象物熱交換部を流通する前記第１熱媒体の流れ方向と前記加熱運転モード時に前記外気側対象物熱交換部を流通する前記第１熱媒体の流れ方向は、同一となっている温度調整装置。
【請求項１４】
前記第１熱媒体を流通させて蒸発側対象物（８０）と熱交換させる蒸発側対象物熱交換部（８０ａ）を備え、
少なくとも前記蒸発側対象物を冷却する蒸発側対象物冷却モードでは、前記第１切替部は、前記蒸発側熱交換部にて冷却された前記第１熱媒体を前記蒸発側対象物熱交換部へ流入させ、さらに、前記蒸発側対象物熱交換部から流出した前記第１熱媒体を、前記外気側対象物熱交換部を迂回させて前記蒸発側熱交換部の入口側へ導く回路構成に切り替える請求項１３に記載の温度調整装置。
【請求項１５】
前記外気側対象物熱交換部から流出した前記第１熱媒体を、前記外気側対象物熱交換部の入口側へ戻す補助迂回通路（４０６）と、
前記補助迂回通路を戻る前記第１熱媒体の流量を調整する補助流量調整弁（４４ｂ）と、を備える請求項１３に記載の温度調整装置。
【請求項１６】
冷媒を圧縮して吐出する圧縮機（１１）から吐出された高圧冷媒を凝縮させる凝縮部（１２１ａ）、前記高圧冷媒を減圧させる減圧部（１３ａ）にて減圧された低圧冷媒を蒸発させる蒸発部（１４１ａ）、および前記高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
前記蒸発部と熱的に接続されて熱媒体と前記低圧冷媒とを熱交換させる蒸発側熱交換部（１４１ｂ）と、
前記凝縮部と熱的に接続されて前記熱媒体と前記高圧冷媒とを熱交換させる凝縮側熱交換部（１２１ｂ）と、
前記熱媒体を流通させて外気側対象物（８１）と熱交換させる外気側対象物熱交換部（８１ａ）と、
前記熱媒体と外気とを熱交換させる室外熱交換部（６１）と、
前記熱媒体と加熱対象流体とを熱交換させる加熱部（５３）と、
前記熱媒体を循環させる熱媒体回路（６０）の回路構成を切り替える切替部（４４ｂ、４４ｃ、４５ａ…４５ｄ、５４、５５）と、を備え、
前記流体側蒸発部にて前記冷却対象流体を冷却する冷却運転モードでは、前記切替部は、前記室外熱交換部から流出した前記熱媒体を前記凝縮側熱交換部および前記外気側対象物熱交換部へ流入させる回路構成に切り替え、
前記加熱部にて前記加熱対象流体を加熱する加熱運転モードでは、前記切替部は、前記蒸発側熱交換部から流出した前記熱媒体を前記室外熱交換部および前記外気側対象物熱交換部へ流入させるとともに、前記凝縮側熱交換部から流出した前記熱媒体を前記加熱部へ流入させる回路構成に切り替え、
前記冷却運転モード時に前記室外熱交換部を流通する前記熱媒体の流れ方向と前記加熱運転モード時に前記室外熱交換部を流通する前記熱媒体の流れ方向は、異なっており、
前記冷却運転モード時に前記外気側対象物熱交換部を流通する前記熱媒体の流れ方向と前記加熱運転モード時に前記外気側対象物熱交換部を流通する前記熱媒体の流れ方向は、同一となっている温度調整装置。
【請求項１７】
前記熱媒体を流通させて蒸発側対象物（８０）と熱交換させる蒸発側対象物熱交換部（８０ａ）を備え、
少なくとも前記蒸発側対象物を冷却する蒸発側対象物冷却モードでは、前記切替部は、前記蒸発側熱交換部にて冷却された前記熱媒体を前記蒸発側対象物熱交換部へ流入させ、さらに、前記蒸発側対象物熱交換部から流出した前記熱媒体を、前記外気側対象物熱交換部を迂回させて前記蒸発側熱交換部の入口側へ導く回路構成に切り替える請求項１６に記載の温度調整装置。
【請求項１８】
前記熱媒体を流通させて蒸発側対象物（８０）と熱交換させる蒸発側対象物熱交換部（８０ａ）と、
前記蒸発側対象物熱交換部から流出した前記熱媒体のうち、前記室外熱交換部の入口側へ流入させる熱媒体の流量と、前記蒸発側熱交換部の入口側へ流入させる熱媒体の流量との流量比を調整する蒸発側流量調整弁（４４ｃ）を備える請求項１６に記載の温度調整装置。
【請求項１９】
前記外気側対象物熱交換部から流出した前記熱媒体を、前記外気側対象物熱交換部の入口側へ戻す補助迂回通路（４０６）と、
前記補助迂回通路を戻る前記熱媒体の流量を調整する補助流量調整弁（４４ｂ）と、を備える請求項１６に記載の温度調整装置。
【請求項２０】
冷媒を圧縮して吐出する圧縮機（１１）から吐出された高圧冷媒を凝縮させる凝縮部（１２１ａ）、前記高圧冷媒を減圧させる減圧部（１３ａ）にて減圧された低圧冷媒を蒸発させる蒸発部（１４１ａ）、および前記高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
前記蒸発部と熱的に接続されて第１熱媒体と前記低圧冷媒とを熱交換させる蒸発側熱交換部（１４１ｂ）と、
前記第１熱媒体を流通させて外気側対象物（８１）と熱交換させる外気側対象物熱交換部（８１ａ）と、
前記第１熱媒体と外気とを熱交換させる第１熱交換部（４１）と、
前記凝縮部と熱的に接続されて第２熱媒体と前記高圧冷媒とを熱交換させる凝縮側熱交換部（１２１ｂ）と、
前記第２熱媒体と加熱対象流体とを熱交換させる加熱部（５３）と、
前記第２熱媒体と外気とを熱交換させる第２熱交換部（５１）と、
前記第１熱媒体を循環させる第１熱媒体回路（４０）の回路構成を切り替える第１切替部（４４ｂ、４５ａ…４５ｄ）と、
前記第２熱媒体を循環させる第２熱媒体回路（５０）の回路構成を切り替える第２切替部（５４、５５）と、を備え、
前記第１熱交換部および前記第２熱交換部は、一方を通過後の外気が他方へ流入するように配置されており、
前記流体側蒸発部にて前記冷却対象流体を冷却する冷却運転モードでは、
前記第１切替部は、前記第１熱交換部から流出した前記第１熱媒体を前記外気側対象物熱交換部へ流入させる回路構成に切り替え、
前記第２切替部は、前記凝縮側熱交換部から流出した前記第２熱媒体を前記第２熱交換部へ流入させる回路構成に切り替え、
前記加熱部にて前記加熱対象流体を加熱する加熱運転モードでは、
前記第１切替部は、前記第１熱交換部から流出した前記第１熱媒体を前記蒸発側熱交換部および前記外気側対象物熱交換部へ流入させる回路構成に切り替え、
前記第２切替部は、前記凝縮側熱交換部から流出した前記第２熱媒体を前記加熱部へ流入させる回路構成に切り替え、
前記冷却運転モード時に前記第１熱交換部を流通する前記第１熱媒体の流れ方向と前記第２熱交換部を流通する前記第２熱媒体の流れ方向は、同一となっており、
前記冷却運転モード時に前記外気側対象物熱交換部を流通する前記第１熱媒体の流れ方向と前記加熱運転モード時に前記外気側対象物熱交換部を流通する前記第１熱媒体の流れ方向は、同一となっている温度調整装置。
【請求項２１】
冷媒を圧縮して吐出する圧縮機（１１）から吐出された高圧冷媒を凝縮させる凝縮部（１２１ａ）、前記高圧冷媒を減圧させる減圧部（１３ａ）にて減圧された低圧冷媒を蒸発させる蒸発部（１４１ａ）、および前記高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
前記蒸発部と熱的に接続されて熱媒体と前記低圧冷媒とを熱交換させる蒸発側熱交換部（１４１ｂ）と、
前記凝縮部と熱的に接続されて前記熱媒体と前記高圧冷媒とを熱交換させる凝縮側熱交換部（１２１ｂ）と、
前記熱媒体を流通させて外気側対象物（８１）と熱交換させる外気側対象物熱交換部（８１ａ）と、
前記熱媒体と外気とを熱交換させる室外熱交換部（６１）と、
前記熱媒体と加熱対象流体とを熱交換させる加熱部（５３）と、
前記熱媒体を循環させる熱媒体回路（６０）の回路構成を切り替える切替部（４４ｂ、４５ａ…４５ｄ、５４、５５）と、を備え、
前記流体側蒸発部にて前記冷却対象流体を冷却する冷却運転モードでは、前記切替部は、前記室外熱交換部から流出した前記熱媒体を前記外気側対象物熱交換部および前記凝縮側熱交換部へ流入させる回路構成に切り替え、
前記加熱部にて前記加熱対象流体を加熱する加熱運転モードでは、前記切替部は、前記室外熱交換部から流出した前記熱媒体を前記外気側対象物熱交換部および前記蒸発側熱交換部へ流入させるとともに、前記凝縮側熱交換部から流出した前記熱媒体を前記加熱部へ流入させる回路構成に切り替え、
前記冷却運転モード時に前記外気側対象物熱交換部を流通する前記熱媒体の流れ方向と前記加熱運転モード時に前記外気側対象物熱交換部を流通する前記熱媒体の流れ方向は、同一となっている温度調整装置。
【請求項２２】
前記蒸発部と熱的に接続されて前記第１熱媒体を前記低圧冷媒と熱交換させる蒸発側熱交換部（１４１ｂ）と、を備え、
前記冷却対象流体は、空調対象空間へ送風される送風空気であり、
前記流体側蒸発部へ流入させる前記送風空気における前記空調対象空間内の内気と空調対象空間外の外気との割合を調整する内外気切替部（３３）を有し、
前記内外気切替部は、前記流体側蒸発部にて前記冷却対象流体を冷却する運転モードから、前記流体側蒸発部にて前記冷却対象流体を冷却するとともに前記蒸発側熱交換部にて冷却された前記第１熱媒体を前記蒸発側対象物熱交換部へ流入させる運転モードへ切り替える際に、外気の割合を増加させる請求項１２または１４に記載の温度調整装置。
【請求項２３】
前記冷却対象流体は、空調対象空間へ送風される送風空気であり、
前記流体側蒸発部へ流入させる前記送風空気における前記空調対象空間内の内気と空調対象空間外の外気との割合を調整する内外気切替部（３３）を有し、
前記内外気切替部は、前記流体側蒸発部にて前記冷却対象流体を冷却する運転モードから、前記流体側蒸発部にて前記冷却対象流体を冷却するとともに前記蒸発側熱交換部にて冷却された前記熱媒体を前記蒸発側対象物熱交換部へ流入させる運転モードへ切り替える際に、外気の割合を増加させる請求項１７または１８に記載の温度調整装置。
【請求項２４】
前記第１熱交換部と前記第２熱交換部は、前記第１熱媒体と前記第２熱媒体との間の熱移動が可能となるように熱的に接続されている請求項１ないし１５、２０のいずれか１つに記載の温度調整装置。
【手続補正２】
【補正対象書類名】明細書
【補正対象項目名】０００９
【補正方法】削除
【補正の内容】
【手続補正３】
【補正対象書類名】明細書
【補正対象項目名】００１０
【補正方法】削除
【補正の内容】
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
上記目的を達成するため、請求項１に記載の発明は、第１熱媒体を流通させて蒸発側対象物（８０）と熱交換させる蒸発側対象物熱交換部（８０ａ）と、冷媒を圧縮して吐出する圧縮機（１１）から吐出された高圧冷媒を凝縮させる凝縮部（１２１ａ）、および高圧冷媒を減圧させる減圧部（１３、１３ａ）にて減圧された低圧冷媒を蒸発させる蒸発部（１４１ａ）を有する冷凍サイクル装置（１０）と、凝縮部と熱的に接続されて第２熱媒体と高圧冷媒とを熱交換させる凝縮側熱交換部（１２１ｂ）と、蒸発側対象物熱交換部から流出した第１熱媒体と外気とを熱交換させる第１熱交換部（４１）と、凝縮側熱交換部から流出した第２熱媒体と外気とを熱交換させる第２熱交換部（５１）と、を備え、
第１熱交換部は、蒸発側対象物熱交換部から流出した第１熱媒体と第２熱交換部にて熱交換する前の外気とを熱交換させ、
第２熱交換部は、凝縮側熱交換部から流出した第２熱媒体と第１熱交換部を通過後の外気の少なくとも一部とを熱交換させる温度調整装置である。
【手続補正８】
【補正対象書類名】明細書
【補正対象項目名】００１９
【補正方法】変更
【補正の内容】
【００１９】
また、請求項９に記載の発明は、第１熱媒体を流通させて蒸発側対象物（８０）と熱交換させる蒸発側対象物熱交換部（８０ａ）と、第２熱媒体を流通させて外気側対象物（８１）と熱交換させる外気側対象物熱交換部（８１ａ）と、冷媒を圧縮して吐出する圧縮機（１１）から吐出された高圧冷媒を凝縮させる凝縮部（１２１ａ）、および高圧冷媒を減圧させる減圧部（１３）にて減圧された低圧冷媒を蒸発させる蒸発部（１４１ａ）を有する冷凍サイクル装置（１０）と、
凝縮部と熱的に接続されて第１熱媒体を高圧冷媒と熱交換させる凝縮側熱交換部（１２１ｂ）と、蒸発部と熱的に接続されて第１熱媒体を低圧冷媒と熱交換させる蒸発側熱交換部（１４１ｂ）と、第１熱媒体と外気とを熱交換させる第１熱交換部（４１）と、外気側対象物熱交換部から流出した第２熱媒体と外気とを熱交換させる第２熱交換部（５１）と、第１熱媒体を循環させる第１熱媒体回路（４０）の回路構成を切り替える切替部（４４ａ、４５ａ…４５ｅ）と、を備え、
切替部は、蒸発側熱交換部と蒸発側対象物熱交換部との間で第１熱媒体を循環させる回路構成、蒸発側熱交換部と第１熱交換部との間で第１熱媒体を循環させる回路構成、および凝縮側熱交換部と第１熱交換部との間で第１熱媒体を循環させる回路構成を切り替え、
第１熱交換部は、第１熱媒体と第２熱交換部にて熱交換する前の外気とを熱交換させ、
第２熱交換部は、外気側対象物熱交換部から流出した第２熱媒体と第１熱交換部を通過後の外気の少なくとも一部とを熱交換させる温度調整装置である。
【手続補正９】
【補正対象書類名】明細書
【補正対象項目名】００２４
【補正方法】変更
【補正の内容】
【００２４】
また、請求項１３に記載の発明は、冷媒を圧縮して吐出する圧縮機（１１）から吐出された高圧冷媒を凝縮させる凝縮部（１２１ａ）、高圧冷媒を減圧させる減圧部（１３ａ）にて減圧された低圧冷媒を蒸発させる蒸発部（１４１ａ）、および高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
蒸発部と熱的に接続されて第１熱媒体と低圧冷媒とを熱交換させる蒸発側熱交換部（１４１ｂ）と、第１熱媒体を流通させて外気側対象物（８１）と熱交換させる外気側対象物熱交換部（８１ａ）と、第１熱媒体と外気とを熱交換させる第１熱交換部（４１）と、
凝縮部と熱的に接続されて第２熱媒体と高圧冷媒とを熱交換させる凝縮側熱交換部（１２１ｂ）と、第２熱媒体と加熱対象流体とを熱交換させる加熱部（５３）と、第２熱媒体と外気とを熱交換させる第２熱交換部（５１）と、
第１熱媒体を循環させる第１熱媒体回路（４０）の回路構成を切り替える第１切替部（４４ｂ、４５ａ…４５ｄ）と、第２熱媒体を循環させる第２熱媒体回路（５０）の回路構成を切り替える第２切替部（５４、５５）と、を備え、
第１熱交換部および第２熱交換部は、一方を通過後の外気が他方へ流入するように配置されており、
流体側蒸発部にて冷却対象流体を冷却する冷却運転モードでは、第１切替部は、第１熱交換部から流出した第１熱媒体を外気側対象物熱交換部へ流入させる回路構成に切り替え、第２切替部は、凝縮側熱交換部から流出した第２熱媒体を第２熱交換部へ流入させる回路構成に切り替え、
加熱部にて加熱対象流体を加熱する加熱運転モードでは、第１切替部は、蒸発側熱交換部から流出した第１熱媒体を第１熱交換部および外気側対象物熱交換部へ流入させる回路構成に切り替え、第２切替部は、凝縮側熱交換部から流出した第２熱媒体を加熱部へ流入させる回路構成に切り替え、
冷却運転モード時に第１熱交換部を流通する第１熱媒体の流れ方向と第２熱交換部を流通する第２熱媒体の流れ方向は、同一となっており、
冷却運転モード時に第１熱交換部を流通する第１熱媒体の流れ方向と加熱運転モード時に第１熱交換部を流通する第１熱媒体の流れ方向は、異なっており、
冷却運転モード時に外気側対象物熱交換部を流通する第１熱媒体の流れ方向と加熱運転モード時に外気側対象物熱交換部を流通する第１熱媒体の流れ方向は、同一となっている温度調整装置である。
【手続補正１０】
【補正対象書類名】明細書
【補正対象項目名】００３０
【補正方法】変更
【補正の内容】
【００３０】
また、請求項１６に記載の発明は、冷媒を圧縮して吐出する圧縮機（１１）から吐出された高圧冷媒を凝縮させる凝縮部（１２１ａ）、高圧冷媒を減圧させる減圧部（１３ａ）にて減圧された低圧冷媒を蒸発させる蒸発部（１４１ａ）、および高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
蒸発部と熱的に接続されて熱媒体と低圧冷媒とを熱交換させる蒸発側熱交換部（１４１ｂ）と、凝縮部と熱的に接続されて熱媒体と高圧冷媒とを熱交換させる凝縮側熱交換部（１２１ｂ）と、熱媒体を流通させて外気側対象物（８１）と熱交換させる外気側対象物熱交換部（８１ａ）と、熱媒体と外気とを熱交換させる室外熱交換部（６１）と、
熱媒体と加熱対象流体とを熱交換させる加熱部（５３）と、熱媒体を循環させる熱媒体回路（６０）の回路構成を切り替える切替部（４４ｂ、４４ｃ、４５ａ…４５ｄ、５４、５５）と、を備え、
流体側蒸発部にて冷却対象流体を冷却する冷却運転モードでは、切替部は、室外熱交換部から流出した熱媒体を凝縮側熱交換部および外気側対象物熱交換部へ流入させる回路構成に切り替え、
加熱部にて加熱対象流体を加熱する加熱運転モードでは、切替部は、蒸発側熱交換部から流出した熱媒体を室外熱交換部および外気側対象物熱交換部へ流入させるとともに、凝縮側熱交換部から流出した熱媒体を加熱部へ流入させる回路構成に切り替え、
冷却運転モード時に室外熱交換部を流通する熱媒体の流れ方向と加熱運転モード時に室外熱交換部を流通する熱媒体の流れ方向は、異なっており、
冷却運転モード時に外気側対象物熱交換部を流通する熱媒体の流れ方向と加熱運転モード時に前記外気側対象物熱交換部を流通する前記熱媒体の流れ方向は、同一となっている温度調整装置である。
【手続補正１１】
【補正対象書類名】明細書
【補正対象項目名】００３５
【補正方法】変更
【補正の内容】
【００３５】
また、請求項２０に記載の発明は、冷媒を圧縮して吐出する圧縮機（１１）から吐出された高圧冷媒を凝縮させる凝縮部（１２１ａ）、高圧冷媒を減圧させる減圧部（１３ａ）にて減圧された低圧冷媒を蒸発させる蒸発部（１４１ａ）、および高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
蒸発部と熱的に接続されて第１熱媒体と低圧冷媒とを熱交換させる蒸発側熱交換部（１４１ｂ）と、第１熱媒体を流通させて外気側対象物（８１）と熱交換させる外気側対象物熱交換部（８１ａ）と、第１熱媒体と外気とを熱交換させる第１熱交換部（４１）と、
凝縮部と熱的に接続されて第２熱媒体と高圧冷媒とを熱交換させる凝縮側熱交換部（１２１ｂ）と、第２熱媒体と加熱対象流体とを熱交換させる加熱部（５３）と、第２熱媒体と外気とを熱交換させる第２熱交換部（５１）と、
第１熱媒体を循環させる第１熱媒体回路（４０）の回路構成を切り替える第１切替部（４４ｂ、４５ａ…４５ｄ）と、第２熱媒体を循環させる第２熱媒体回路（５０）の回路構成を切り替える第２切替部（５４、５５）と、を備え、
第１熱交換部および第２熱交換部は、一方を通過後の外気が他方へ流入するように配置されており、
流体側蒸発部にて冷却対象流体を冷却する冷却運転モードでは、第１切替部は、第１熱交換部から流出した第１熱媒体を外気側対象物熱交換部へ流入させる回路構成に切り替え、第２切替部は、凝縮側熱交換部から流出した第２熱媒体を第２熱交換部へ流入させる回路構成に切り替え、
加熱部にて加熱対象流体を加熱する加熱運転モードでは、第１切替部は、第１熱交換部から流出した第１熱媒体を蒸発側熱交換部および外気側対象物熱交換部へ流入させる回路構成に切り替え、第２切替部は、凝縮側熱交換部から流出した第２熱媒体を加熱部へ流入させる回路構成に切り替え、
冷却運転モード時に第１熱交換部を流通する第１熱媒体の流れ方向と第２熱交換部を流通する第２熱媒体の流れ方向は、同一となっており、
冷却運転モード時に外気側対象物熱交換部を流通する第１熱媒体の流れ方向と加熱運転モード時に外気側対象物熱交換部を流通する前記第１熱媒体の流れ方向は、同一となっている温度調整装置である。
【手続補正１２】
【補正対象書類名】明細書
【補正対象項目名】００４０
【補正方法】変更
【補正の内容】
【００４０】
また、請求項２１に記載の発明は、冷媒を圧縮して吐出する圧縮機（１１）から吐出された高圧冷媒を凝縮させる凝縮部（１２１ａ）、高圧冷媒を減圧させる減圧部（１３ａ）にて減圧された低圧冷媒を蒸発させる蒸発部（１４１ａ）、および高圧冷媒を減圧させる流体側減圧部（１３ｂ）にて減圧された低圧冷媒を冷却対象流体と熱交換させて蒸発させる流体側蒸発部（１４）を有する冷凍サイクル装置（１０）と、
蒸発部と熱的に接続されて熱媒体と低圧冷媒とを熱交換させる蒸発側熱交換部（１４１ｂ）と、凝縮部と熱的に接続されて熱媒体と高圧冷媒とを熱交換させる凝縮側熱交換部（１２１ｂ）と、熱媒体を流通させて外気側対象物（８１）と熱交換させる外気側対象物熱交換部（８１ａ）と、熱媒体と外気とを熱交換させる室外熱交換部（６１）と、
熱媒体と加熱対象流体とを熱交換させる加熱部（５３）と、熱媒体を循環させる熱媒体回路（６０）の回路構成を切り替える切替部（４４ｂ、４５ａ…４５ｄ、５４、５５）と、を備え、
流体側蒸発部にて冷却対象流体を冷却する冷却運転モードでは、切替部は、室外熱交換部から流出した熱媒体を外気側対象物熱交換部および凝縮側熱交換部へ流入させる回路構成に切り替え、
加熱部にて加熱対象流体を加熱する加熱運転モードでは、切替部は、室外熱交換部から流出した熱媒体を外気側対象物熱交換部および蒸発側熱交換部へ流入させるとともに、凝縮側熱交換部から流出した熱媒体を加熱部へ流入させる回路構成に切り替え、
冷却運転モード時に外気側対象物熱交換部を流通する熱媒体の流れ方向と加熱運転モード時に外気側対象物熱交換部を流通する熱媒体の流れ方向は、同一となっている温度調整装置である。
【手続補正１３】
【補正対象書類名】明細書
【補正対象項目名】００４６
【補正方法】変更
【補正の内容】
【００４６】
以下に説明する第１〜第２２実施形態のうち、第２〜第２２実施形態が特許請求の範囲に記載した発明の実施形態であり、第１実施形態は、発明の前提となる形態である。
（第１実施形態）
図１を用いて、本発明に係る温度調整装置１の第１実施形態を説明する。本実施形態の温度調整装置１は、走行用の駆動力を電動モータから得る電気自動車に搭載されている。温度調整装置１は、電気自動車において電動モータ等へ電力を供給するバッテリ８０、および空調対象空間である車室内へ送風される送風空気の温度を調整する。
【手続補正１４】
【補正対象書類名】明細書
【補正対象項目名】０２９９
【補正方法】変更
【補正の内容】
【０２９９】
第１熱媒体通路４１ａから流出した第１熱媒体は、第１ラジエータ側水ポンプ４２ａに吸入されて圧送される。第１ラジエータ側水ポンプ４２ａから圧送された第１熱媒体は、バッテリ８０の冷却水通路８０ａから流出した第１熱媒体と合流する。合流した第１熱媒体は、第１バッテリ側水ポンプ４２へ吸入されて再び熱媒体通路１４１ｂへ圧送される。
【手続補正１５】
【補正対象書類名】明細書
【補正対象項目名】０３０８
【補正方法】変更
【補正の内容】
【０３０８】
従って、第１電池冷却モードのように、第１ラジエータ４１から流出した第１熱媒体を、チラー１４１の熱媒体通路１４１ｂを迂回させて、バッテリ８０の冷却水通路８０ａへ流入させる回路構成に切り替えることができる。これによれば、第１ラジエータ４１を、バッテリ８０の排熱を、第１熱媒体を介して外気に放熱させる放熱用熱交換器をして利用することができる。
【手続補正１６】
【補正対象書類名】明細書
【補正対象項目名】０３８５
【補正方法】変更
【補正の内容】
【０３８５】
具体的には、本実施形態の第１熱媒体回路４０は、水−冷媒熱交換器１２１の熱媒体通路１２１ｂへ第１熱媒体を圧送する第１熱交換器側水ポンプ４２ｂを有している。第１熱交換器側水ポンプ４２ｂの基本的構成は、第１バッテリ側水ポンプ４２と同様である。熱媒体通路１２１ｂの出口側には、熱媒体通路１２１ｂから流出した第１熱媒体の流れを分岐する分岐部が接続されている。
【手続補正１７】
【補正対象書類名】明細書
【補正対象項目名】０３８６
【補正方法】変更
【補正の内容】
【０３８６】
分岐部の一方の流出口には、第１ラジエータ４１の第１熱媒体通路４１ａの一方の出入口側が接続されている。第１ラジエータ４１の第１熱媒体通路４１ａの他方の出入口には、第１熱交換器側水ポンプ４２ｂの吸入口側が接続されている。分岐部の他方の流出口には、ヒータコア５３の熱媒体入口側が接続されている。ヒータコア５３の熱媒体出口には、第１熱交換器側水ポンプ４２ｂの吸入口側が接続されている。
【手続補正１８】
【補正対象書類名】明細書
【補正対象項目名】０４０３
【補正方法】変更
【補正の内容】
【０４０３】
第２電池冷却モードでは、制御装置７０が、第１バッテリ側開閉弁４５ａを閉じ、第１迂回通路側開閉弁４５ｂを閉じ、第１ラジエータ側開閉弁４５ｄを開く。さらに、制御装置７０は、室外送風機１５および第１バッテリ側水ポンプ４２を作動させる。また、制御装置７０は、第１ラジエータ側流量調整弁４４ａを全開状態とし、第１ヒータコア側開閉弁４５ｅを閉じる。さらに、第１熱交換器側水ポンプ４２ｂを作動させる。また、制御装置７０は、圧縮機１１を作動させる。
【手続補正１９】
【補正対象書類名】明細書
【補正対象項目名】０４０５
【補正方法】変更
【補正の内容】
【０４０５】
さらに、第１熱交換器側水ポンプ４２ｂから圧送された第１熱媒体が、水−冷媒熱交換器１２１の熱媒体通路１２１ｂ→第１ラジエータ４１の第１熱媒体通路４１ａ→第１熱交換器側水ポンプ４２ｂの吸入側の順に循環する。
【手続補正２０】
【補正対象書類名】明細書
【補正対象項目名】０４２０
【補正方法】変更
【補正の内容】
【０４２０】
さらに、第１熱交換器側水ポンプ４２ｂから圧送された第１熱媒体が、水−冷媒熱交換器１２１の熱媒体通路１２１ｂ→ヒータコア５３→第１熱交換器側水ポンプ４２ｂの吸入側の順に循環する。
【手続補正２１】
【補正対象書類名】明細書
【補正対象項目名】０４２３
【補正方法】変更
【補正の内容】
【０４２３】
従って、暖房運転モードでは、第１熱媒体が外気から吸熱した熱を、冷凍サイクル装置１０を介して、送風空気に放熱させることができる。
【手続補正２２】
【補正対象書類名】明細書
【補正対象項目名】０４２７
【補正方法】変更
【補正の内容】
【０４２７】
従って、いずれの運転モードにおいても、車載機器温度ＴＭが基準温度ＫＴＭ以上となっている際には、第２ラジエータ５１の第２熱媒体通路５１ａにて冷却された第２熱媒体が、第２ラジエータ側水ポンプ５２ｂに吸入される。第２ラジエータ側水ポンプ５２ｂから圧送された第２熱媒体は、車載機器８１の冷却水通路８１ａへ流入する。